(57)【要約】  【課題】  光ドロップケーブルなど新設のケーブルを、既設のケーブル張架装置に追加するに好適な装置を提供する。  【解決手段】  支持線ａに組付けた螺旋状ケーブルハンガーｈでケーブルＣｂを吊下して前記支持線ａに沿わせて電柱Ｄ，Ｄ間に架設した既設のケーブル張架装置であって、前記支持線ａに所要間隔を存して支持材１を着脱自在に取付ける。該支持材１の前記支持線ａより上方に、前記電柱Ｄ，Ｄ間に架設する新設のケーブルＣａを係合させる係合溝２を、前記支持線ａに沿わせて設ける。【選択図】    図２
2010220337.tif 000002
【特許請求の範囲】
【請求項１】
支持線に組付けた螺旋状ケーブルハンガーなどの吊下材でケーブルを吊下して前記支持線に沿わせて電柱間に架設した既設のケーブル張架装置において、前記支持線に所要間隔を存して支持材を着脱自在に取付け、該支持材の前記支持線より上方に位置する部分に、前記電柱間に架設する新設のケーブルを係合させる係合溝を、前記支持線に沿わせて設けた、ケーブル追加装置。
【請求項２】
支持線に沿う両側を相対する側壁とした凹溝を上、下両面に設けた支持材主体を備え、該支持材主体の前記上側凹溝を係合溝と成すと共に、前記下側凹溝を前記支持線との組付け溝と成し、該組付け溝の、一方の側壁にねじ孔を設け、該ねじ孔に、前記係合溝に係合した前記支持線に先端が圧接する締付けボルトを螺合した、請求項１記載のケーブル追加装置。
【請求項３】
ねじ孔を構成する小径部と大径部とで成る挿通孔の大径部に固着筒を圧入し、該固着筒の先端を締付けボルトの頭部の工具係止溝を残す周端に接触させた、請求項２記載のケーブル追加装置。
【発明の詳細な説明】
【技術分野】
【０００１】
本発明は、電柱間に架設した支持線（メッセンジャーワイヤー）に螺旋状ケーブルハンガーなどの吊下材を組付け、該吊下材に吊下して前記支持線に沿わせてケーブルを配した、既設のケーブル張架装置におけるケーブル追加（増設）装置に関するものである。
【背景技術】
【０００２】
電柱間に架設した支持線に螺旋状ケーブルハンガーを組付け、該螺旋状ケーブルハンガーにケーブルを支持させた、既設のケーブル張架装置にケーブルを追加増設するには、前記螺線状ケーブルハンガー内に一方の電柱側から引き紐通し具を通して他方の電柱側に引き紐を渡し、他方の電柱側から引き紐を牽引して該引き紐に接続したケーブルを、前記ケーブルハンガー内を通じて両電柱間に追加、増設するようにした構造のものが知られている（例えば、特許文献１、段落「００２５」）。すなわち、既設の螺旋状ケーブルハンガーによって、新設のケーブルを支持するようにした構造のものが知られている。
【先行技術文献】
【特許文献】
【０００３】
【特許文献１】特開平９−１３５５１０号公報
【発明の概要】
【発明が解決しようとする課題】
【０００４】
前記従来構造のものは、既設のケーブルで占められた一定の空間（螺旋状ケーブルハンガーの内側）内に新たなケーブルを追加する構成を採るのでその作業が煩雑であり、また、新設のケーブルのための空間域があるとは限らない。
【０００５】
本発明は、光ドロップケーブルなど新設のケーブルを追加して張架するに好適な、ケーブル追加装置を提供することを目的として創案したものである。
【課題を解決するための手段】
【０００６】
支持線に組付けた螺旋状ケーブルハンガーなどの吊下材でケーブルを吊下して前記支持線に沿わせて電柱間に架設した既設のケーブル張架装置において、前記支持線に所要間隔を存して支持材を着脱自在に取付け、該支持材の前記支持線より上方に位置する係合溝に、新設のケーブルを係合させて前記電柱間に架設するようにしたことを基本的手段とし、支持線に沿う両側を相対する側壁とした凹溝を上、下両面に設けた支持材主体を備え、該支持材主体の前記上側凹溝を係合溝と成すと共に、前記下側凹溝を前記支持線との組付け溝と成し、該組付け溝の、前記側壁が構成する一方の構成壁にねじ孔を設け、該ねじ孔に、前記係合溝に係合した前記支持線に先端が圧接する締付けボルトを螺合して前記支持材を構成することにより支持線に支持材を確実に固定し、新設のケーブルの、安定した架線状態のケーブル張架装置を提供できる。
【発明の効果】
【０００７】
本発明によれば、既設のケーブルと無関係に支持線を利用して新設のケーブルを電柱間に配することができ、これまで、利用しなかった支持線より上方の空間域を利用して新設のケーブルを架設するものであるから合理的であり、経済的でもあり、新設のケーブルが支持材の存在により支持線等との接触を避けられ、接触の繰り返しによる損傷を回避した装置を提供できる。
【０００８】
また、支持材を支持線に沿う両側を相対する側壁とした凹溝を上、下両面に設けた支持材主体を備え、該支持材主体の前記上側凹溝を係合溝と成すと共に、前記下側凹溝を前記支持線との組付け溝と成し、該組付け溝の、一方の側壁にねじ孔を設け、該ねじ孔に、前記係合溝に係合した前記支持線に先端が圧接する締付けボルトを螺合した構成を採用することにより支持材を支持線に対して確実に固定でき、従って、新設のケーブルの安定した架設状態を得られ、ねじ孔を構成する小径部と大径部とで成る挿通孔の大径部に固着筒を圧入し、該固着筒の先端を締付けボルトの頭部の工具係止溝を残す周端に接触させた構成を採用することにより、締付けボルトの緩みを防いで、支持材主体を支持線に確実に止着しておくことができ、装置全体として耐久的な装置を提供することができる。
【図面の簡単な説明】
【０００９】
【図１】各部の配置関係を示す説明図。
【図２】一部の正面図。
【図３】図２ａ−ａ線断面図。
【実施例】
【００１０】
図面は、本発明に係る、既設のケーブルの張架装置における新ケーブル追加装置の一実施例を示し、図示の、既設のケーブル張架装置は、電柱Ｄ，Ｄ間に架設した支持線（メッセンジャーワイヤー）ａに螺旋状ケーブルハンガーｈを巻回組付けて前記電柱Ｄ，Ｄ間に配し、該ケーブルハンガーｈにケーブルＣｂを挿通、受支させて支持線ａに沿わせて電柱間に配した構成を採るもので、実施例は、この既設のケーブル架設装置の支持線ａに、適宜間隔（２０００ｍｍ前後）を存して支持材Ａを組付け、該支持材Ａの、前記支持線ａより上方に位置させて配した、上面開口の係合溝に、電柱Ｄ，Ｄ間（電柱と、電柱間の中間部との間も含む）で緊張状態にした新設のケーブルＣａを係合させて電柱間に架設した構成を採るものである。
【００１１】
支持材Ａは、支持線ａの軸線に沿う両側を相対する側壁とした凹溝を、上、下両面に設けた支持主体１を備え、上側の凹溝を新設のケーブルＣａの前記係合溝２、下側の凹溝を組付け溝３とし、組付け溝３に支持線ａを嵌通させ（相対的）、該支持線ａに締付けボルト４を用いて止着するようにしたものである。
【００１２】
前記係合溝２は、その深さが、該係合溝２内に係合して挿通させる新設のケーブルＣａの広径幅より深くしてあることが望ましく、深くすることにより、風圧などで係合溝２の側壁２ａを乗り越えて、ケーブルＣａの支持材Ａから外れを防止することができる。
【００１３】
なお、図示のケーブルＣａは、光ドロップケーブルを示すが、該光ドロップケーブルに代えて同軸ケーブルや電力線の支持に利用しても不都合はない。
【００１４】
前記組付け溝３は、前記支持線ａを径幅方向に納めるに充分な深さを備え、その一側壁３ａの内面の一部を長手方向に沿う凹面３ａ´状としてこれに前記支持線ａの一部を係合するようにしてあり、また、前記一側壁３ａより厚くした他側壁３ｂの、前記凹面３ａ´に相対する位置には、該他側壁３ｂの内面３ｂ´側を小径部５ａとし、外面３ｂ´´側を大径部５ｂとした挿通孔５を設け、該挿通孔５の前記小径部５ａの先端部（内面３ｂ´側端部）側を、前記他側壁３ｂにナット材７を埋め込んでねじ孔５ａ´としてある。
【００１５】
そして、支持材Ａは、電柱Ｄ，Ｄ間に架設した支持線ａに巻回、組付けて前記電柱Ｄ，Ｄ間に配した螺旋状ケーブルハンガーｈに、ケーブルＣｂを挿通、受支させて支持線ａに沿わせて電柱Ｄ，Ｄ間に配した、既設のケーブル張架装置Ｂの支持線ａの適所に、適宜間隔を存して組付け、止着するのであって、支持主体１を、該支持主体１に設けた組付け溝３に支持線ａを係合するようにして該支持線ａ上に重ね合わせ、支持主体１の挿通孔５に大径側から挿入して、先端を該挿通孔５のねじ孔５ａ´に螺合しておいた締付けボルト４を締め付けると、締付けボルト４の先端は、前記組付け溝３内に突出し、指先で凹面３ａ´に係合するように位置させた支持線ａを押圧し、凹面３ａ´すなわち組付け溝３の一側壁３ａとで支持線ａを挟持し、支持線ａに、該支持線ａより上方に係合溝２が位置するように、止着される。そして、この止着作業後、挿通孔５の大径部５ｂに固着筒６を挿入して、叩打（工具などで）すると、該固着筒６は大径部５ｂ中を前進して、締付けボルト４の頭部４ａに備えた工具係止溝４ａ´を取り囲むようにして該頭部４ａの周縁に先端が接触する位置まで圧入され、支持主体１に組付けられるのである。
【００１６】
締付けボルト４は、挿通孔大径部５ｂに圧入された固着筒６の頭部４ａに対する接触により振動その他の外力による回動が規制され、組付け溝一側壁３ａとの支持線ａの挟持状態が確実に維持され、支持線ａから支持主体１すなわち支持材Ａを離脱するときは、固着筒６を通じて工具（ドライバー）の先端を工具係止溝４ａ´に係止させて緩み方向に工具を回せば、固着筒６と締付けボルト４は、支持主体１から容易に外すことができる。
【００１７】
そして、新設のケーブルＣａの中間部を係合溝２に係合させるようにして該ケーブルＣａを緊張させること（テンションをかけること）により（ケーブルＣａは電柱や電柱間の分岐金具などに引き留めるので必然的にテンションがかかる）、ケーブルＣａは既設のケーブル張架装置Ｂに追加され、実施例装置を得ることができるのである。
【００１８】
既設のケーブル張架装置Ｂは、ラッシングロッドや所謂ケーブルハンガーを用いて支持線ａに沿ってケーブルＣｂを張架している状態のものも含み、図示ａ´は、径の細い場合の支持線を示す。
【符号の説明】
【００１９】
１            支持材
２            係合溝
ａ            支持線
Ｃａ，Ｃｂ    ケーブル
Ｄ            電柱
ｈ            螺線状ケーブルハンガー
【図１】
2010220337.tif 000003
【図２】
2010220337.tif 000004
【図３】
2010220337.tif 000005